(57)【要約】【課題】経済的に携帯電話機の着信音の音量を変化させる。【解決手段】携帯電話機Ａにあって、着信検出部４１は、上位装置からの着信信号を検出する。付属端末通知処理部４２は、着信信号を検出すると着信通知信号を出力する。電界強度測定処理部４４は、応答信号を検出すると電界強度を測定する。鳴動レベル設定処理部４５は、測定された電界強度に応じて着信音の鳴動レベルを決定する。着信音生成部４６は、決定された鳴動レベルで着信音をスピーカ４８に出力する。携帯電話機付属端末Ｂにあって、応答処理部４３は、着信通知信号を検出すると応答信号を出力する。【選択図】      図１
2008236337.tif 000002
【特許請求の範囲】
【請求項１】
携帯端末は携帯端末付属端末からの信号の電界強度に応じて着信音を変化させることを特徴とする携帯端末の着信音制御方法。
【請求項２】
前記信号は前記携帯端末の着信通知信号に対する前記携帯端末付属端末からの応答信号であることを特徴とする請求項１記載の携帯端末の着信音制御方法。
【請求項３】
携帯端末は、上位装置からの着信信号を検出すると、前記携帯端末付属端末に着信通知信号を送り、前記携帯端末付属端末からの前記着信通知信号に対する応答信号の電界強度を測定し、前記電界強度に応じて前記着信音の鳴動レベルを決定し、決定された前記鳴動レベルにより着信音をスピーカに出力することを特徴とする携帯端末の着信音制御方法。
【請求項４】
前記携帯端末は、前記電界強度が予め定められたレベルより小さい場合は、前記着信呼を留守緑処理することを特徴とする請求項３記載の携帯端末の着信音制御方法。
【請求項５】
携帯端末は、一定周期で携帯端末付属端末に呼出信号を送信し、前記携帯端末付属端末から前記呼出信号に対する応答信号の電界強度を測定し、測定された前記電界強度を予め用意された一次記憶装置に保存し、次に、上位装置からの着信信号を検出すると、前記電界強度を前記一次記憶装置から読みだし、読み出された前記電界強度に応じて前記着信音の鳴動レベルを決定し、決定された前記鳴動レベルにより着信音をスピーカに出力することを特徴とする携帯端末の着信音制御方法。
【請求項６】
前記携帯端末は、読み出された前記電界強度が予め定められたレベルより小さい場合は、前記着信呼を留守緑処理することを特徴とする請求項５記載の携帯端末の着信音制御方法。
【請求項７】
受信した信号の電界強度を測定する電界強度測定処理部と測定された前記電界強度に応じて着信音を変化させる鳴動レベル設定処理部を含む携帯端末と、前記信号を出力する携帯端末付属端末とを含む携帯端末の着信音制御システム。
【請求項８】
前記信号は前記携帯端末の着信通知信号に対する前記携帯端末付属端末からの応答信号であることを特徴とする請求項７記載の携帯端末の着信音制御システム。
【請求項９】
上位装置からの着信信号を検出する着信検出部と、前記着信信号を検出すると着信通知信号を出力する付属端末通知処理部と応答信号を検出すると電界強度を測定する電界強度測定処理部と、測定された電界強度に応じて着信音の鳴動レベルを決定する鳴動レベル設定処理部と、決定された前記鳴動レベルで着信音をスピーカに出力する着信音生成部とを含む携帯端末と、
前記着信通知信号を検出すると前記応答信号を出力する応答処理部を含む携帯端末付属端末とを含む携帯端末の着信音制御システム。
【請求項１０】
前記携帯端末は、前記電界強度が予め定められたレベルより小さい場合は、前記着信呼を留守緑処理することを特徴とする請求項９記載の携帯端末の着信音制御システム。
【請求項１１】
一定周期で携帯端末付属端末に呼出信号を送信する探索処理部と、応答信号を検出すると電界強度を測定し測定された電界強度を一時記憶装置に保存する電界強度測定処理部と、上位装置からの着信信号を検出する着信検出部と、前記着信信号を検出すると前記一時記憶装置に保存された前記電界強度に応じて着信音の鳴動レベルを決定する鳴動レベル設定処理部と、決定された前記鳴動レベルで前記着信音をスピーカに出力する着信音生成部とを含む携帯端末と、
前記呼出信号を検出すると前記応答信号を出力する探索応答処理部を含む携帯端末付属端末とを含む携帯端末の着信音制御システム。
【請求項１２】
前記携帯端末は、読み出された前記電界強度が予め定められたレベルより小さい場合は、前記着信呼を留守緑処理することを特徴とする請求項１１記載の携帯端末の着信音制御システム。
【請求項１３】
受信した信号の電界強度を測定する電界強度測定処理部と測定された前記電界強度に応じて着信音を変化させる鳴動レベル設定処理部を含むことを特徴とする携帯端末。
【請求項１４】
上位装置からの着信信号を検出する着信検出部と、前記着信信号を検出すると着信通知信号を出力する付属端末通知処理部と、応答信号を検出すると電界強度を測定する電界強度測定処理部と、測定された電界強度に応じて着信音の鳴動レベルを決定する鳴動レベル設定処理部と、決定された前記鳴動レベルで着信音をスピーカに出力する着信音生成部とを含むことを特徴とする携帯端末。
【請求項１５】
一定周期で携帯端末付属端末に呼出信号を送信する探索処理部と、応答信号を検出すると電界強度を測定し測定された電界強度を一時記憶装置に保存する電界強度測定処理部と、上位装置からの着信信号を検出する着信検出部と、前記着信信号を検出すると前記一時記憶装置に保存された前記電界強度に応じて着信音の鳴動レベルを決定する鳴動レベル設定処理部と、決定された前記鳴動レベルで前記着信音をスピーカに出力する着信音生成部とを含むことを特徴とする携帯端末。
【発明の詳細な説明】
【技術分野】
【０００１】
本発明は携帯端末の着信音制御方法及び携帯端末の着信音制御システム及び携帯端末に関し、特に、ワイヤレスヘッドセットなどの携帯電話機付属端末の電界強度に応じて着信音を変化させる携帯端末の着信音制御方法及び携帯端末の着信音制御システム及び携帯端末に関する。
【背景技術】
【０００２】
従来の技術では、携帯電話機が近くにあるのに大きな音で着信音が鳴るのでうるさく感じたり、携帯電話機が遠くにあるのに小さな音で着信音が鳴るので着信に気づかなかったりすることがあった。
【０００３】
そこで、ユーザの所在に応じて、着信音量を調整する方法が考案されている（例えば、特許文献１を参照。）。
【０００４】
該公報によれば、交換機から親機に着信があると、親機は、子機にも指示を出し、両者で、ユーザが身につけた携帯情報端末のＲＦＩＤタグを近距離無線で読み取る。親機又は子機は、ＲＦＩＤタグを読み取れた場合は、呼出の音量を小さくし、ＲＦＩＤタグを読み取れなかった場合は、大きくする。
【０００５】
このようにすることにより、携帯電話機が近くにある場合にも、遠くにある場合にも適切な大きさの着信音で呼び出すことができるようになった。
【０００６】
【特許文献１】２００６−１０９０６８号公報「００１５」〜「００２３」参照
【発明の開示】
【発明が解決しようとする課題】
【０００７】
上述した特許文献１による方法では、携帯電話機の着信音量を調整するために、ＲＦＩＤタグを出力する専用の携帯情報端末を用意しなければならないため、経済的でないという問題があった。
【０００８】
一方、現在では、ブルートゥース規格の無線モジュールを搭載したワイヤレスヘッドセットが普及してきている。利用者は、携帯電話機を鞄の中に入れたまま、このヘッドセットを耳に装着して電話を受けたりかけたりすることができる。
【０００９】
本発明の目的は、上述した課題である携帯電話機の着信音量を調整するために、専用の携帯情報端末を用意しなければならないという問題を解決する携帯端末の着信音制御方法及び携帯端末の着信音制御システム及び携帯端末を提供することにある。
【課題を解決するための手段】
【００１０】
この発明は、携帯端末の着信音制御方法において、携帯端末は携帯端末付属端末からの信号の電界強度に応じて着信音を変化させることを特徴とする。
【００１１】
ここで、前記信号は前記携帯端末の着信通知信号に対する前記携帯端末付属端末からの応答信号であってもよい。
【００１２】
次の発明は、携帯端末の着信音制御方法において、携帯端末は、上位装置からの着信信号を検出すると、前記携帯端末付属端末に着信通知信号を送り、前記携帯端末付属端末からの前記着信通知信号に対する応答信号の電界強度を測定し、前記電界強度に応じて前記着信音の鳴動レベルを決定し、決定された前記鳴動レベルにより着信音をスピーカに出力することを特徴とする。
【００１３】
ここで、前記携帯端末は、前記電界強度が予め定められたレベルより小さい場合は、前記着信呼を留守緑処理するようにしてもよい。
【００１４】
次の発明は、携帯端末の着信音制御方法において、携帯端末は、一定周期で携帯端末付属端末に呼出信号を送信し、前記携帯端末付属端末から前記呼出信号に対する応答信号の電界強度を測定し、測定された前記電界強度を予め用意された一次記憶装置に保存し、次に、上位装置からの着信信号を検出すると、前記電界強度を前記一次記憶装置から読みだし、読み出された前記電界強度に応じて前記着信音の鳴動レベルを決定し、決定された前記鳴動レベルにより着信音をスピーカに出力することを特徴とする。
【００１５】
ここで、前記携帯端末は、読み出された前記電界強度が予め定められたレベルより小さい場合は、前記着信呼を留守緑処理するようにしてもよい。
【００１６】
次の発明は、携帯端末の着信音制御システムにおいて、受信した信号の電界強度を測定する電界強度測定処理部と測定された前記電界強度に応じて着信音を変化させる鳴動レベル設定処理部を含む携帯端末と、前記信号を出力する携帯端末付属端末とを含むことを特徴とする。
【００１７】
ここで、前記信号は前記携帯端末の着信通知信号に対する前記携帯端末付属端末からの応答信号であってもよい。
【００１８】
次の発明は、携帯端末の着信音制御システムにおいて、上位装置からの着信信号を検出する着信検出部と、前記着信信号を検出すると着信通知信号を出力する付属端末通知処理部と応答信号を検出すると電界強度を測定する電界強度測定処理部と、測定された電界強度に応じて着信音の鳴動レベルを決定する鳴動レベル設定処理部と、決定された前記鳴動レベルで着信音をスピーカに出力する着信音生成部とを含む携帯端末と、
前記着信通知信号を検出すると前記応答信号を出力する応答処理部を含む携帯端末付属端末とを含むことを特徴とする。
【００１９】
ここで、前記携帯端末は、前記電界強度が予め定められたレベルより小さい場合は、前記着信呼を留守緑処理するようにしてもよい。
【００２０】
次の発明は、携帯端末の着信音制御システムにおいて、一定周期で携帯端末付属端末に呼出信号を送信する探索処理部と、応答信号を検出すると電界強度を測定し測定された電界強度を一時記憶装置に保存する電界強度測定処理部と、上位装置からの着信信号を検出する着信検出部と、前記着信信号を検出すると前記一時記憶装置に保存された前記電界強度に応じて着信音の鳴動レベルを決定する鳴動レベル設定処理部と、決定された前記鳴動レベルで前記着信音をスピーカに出力する着信音生成部とを含む携帯端末と、
前記呼出信号を検出すると前記応答信号を出力する探索応答処理部を含む携帯端末付属端末とを含むことを特徴とする。
【００２１】
ここで、前記携帯端末は、読み出された前記電界強度が予め定められたレベルより小さい場合は、前記着信呼を留守緑処理するようにしてもよい。
【００２２】
次の発明は、携帯端末において、受信した信号の電界強度を測定する電界強度測定処理部と測定された前記電界強度に応じて着信音を変化させる鳴動レベル設定処理部を含むことを特徴とする。
【００２３】
次の発明は、携帯端末において、上位装置からの着信信号を検出する着信検出部と、前記着信信号を検出すると着信通知信号を出力する付属端末通知処理部と、応答信号を検出すると電界強度を測定する電界強度測定処理部と、測定された電界強度に応じて着信音の鳴動レベルを決定する鳴動レベル設定処理部と、決定された前記鳴動レベルで着信音をスピーカに出力する着信音生成部とを含むことを特徴とする。
【００２４】
次の発明は、携帯端末において、一定周期で携帯端末付属端末に呼出信号を送信する探索処理部と、応答信号を検出すると電界強度を測定し測定された電界強度を一時記憶装置に保存する電界強度測定処理部と、上位装置からの着信信号を検出する着信検出部と、前記着信信号を検出すると前記一時記憶装置に保存された前記電界強度に応じて着信音の鳴動レベルを決定する鳴動レベル設定処理部と、決定された前記鳴動レベルで前記着信音をスピーカに出力する着信音生成部とを含むことを特徴とする。
【発明の効果】
【００２５】
本発明は、専用の携帯情報端末を用意せずに、経済的に携帯端末の着信音の音量を変化させることができる効果がある。
【００２６】
その理由は、現在広く普及してきているワイヤレスヘッドセットなどの携帯電話機付属端末を用い、携帯電話機付属端末からの信号の電界強度に応じて携帯端末の着信音の音量を変化させるようにしたからである。
【発明を実施するための最良の形態】
【００２７】
次に、本発明を実施するための最良の形態について図面を参照して詳細に説明する。
【００２８】
図１は、本発明の第１の実施形態を示すブロック図である。
【００２９】
携帯電話機Ａは、着信検出部４１，付属端末通知処理部４２、電界強度測定処理部４４、鳴動レベル設定処理部４５、着信音生成部４６、留守番電話切替部４７、スピーカ４８を含む。
【００３０】
また、携帯電話機付属端末Ｂは、応答処理部４３を含む。
【００３１】
上述の各ブロックは、ＣＰＵによる記憶装置のプログラムを実行することによって実現されても良いし、専用のハードウエアにより実現されても良い。
【００３２】
次に各部の機能を説明する。
【００３３】
着信検出部４１は、携帯電話機Ａの上位装置である交換機からの着信信号を検出する。
【００３４】
付属端末通知処理部４２は、携帯電話機付属端末Ｂに、ブルートゥースのような近距離無線により着信通知信号を送出し、その応答信号を監視する。そして、付属端末通知処理部４２は、応答信号を検出した場合は、内部の呼処理に通知する。内部の呼処理は、公知技術であり、通話開始のための準備状態を生成する等を行うが、ここでは詳細には触れない。
【００３５】
又、一定の時間内に、応答信号が返信されない場合は、呼処理は携帯電話機付属端末Ｂが通信有効範囲内にないとして、警報を発するようにしても良い（特開２００４−１５３４３９，「００３７」を参照）。
【００３６】
電界強度測定処理部４４は、付属端末通知処理部４２が着信通知信号を送出し始めてから、一定の時間、携帯電話機付属端末Ｂからの応答信号の電界強度を測定し、その平均値を算出する。そして、電界強度測定処理部４４は、測定された電界強度が、どのレベルであるかを判定する。判定方法には、例えば、図示していないが、電界強度を、強、中、弱の３段階に分類しておき、測定された電界強度が属する段階を選択する方法がある。測定された電界強度が、弱の段階にも属さないほど小さい場合は、電界強度測定処理部４４は、測定不可レベルと判断する。
【００３７】
携帯電話機Ａが、携帯電話機付属端末Ｂの電界レベルを測定する技術は、特開平５−９５３２８などにも詳述された公知技術であるため、ここでは詳細には触れない。尚、該公報に見られるように、この技術は、携帯電話機の置き忘れや、紛失を防ぐために、付属端末の電界レベルが一定の電界レベル以下になると、携帯電話機が、警報を発する仕組みになっている。
【００３８】
次に、鳴動レベル設定処理部４５は、電界強度測定処理部４４が判定した電界強度に基づき、着信音の鳴動レベルを決定し、着信音生成部４６にその鳴動レベルを設定する。例えば、電界強度を、強、中、弱の３段階に分類しておき、その各レベルに対する鳴動レベル小、中、大を決めておけば、鳴動レベル設定処理部４５は、電界強度に基づき、スピーカの鳴動レベルを容易に決定することができる。
【００３９】
このようにすることにより、距離が遠ければ大きな音で、近ければ小さな音で着信音を鳴動させることができる。又、電界強度の分類は、強、中、弱の３段階に限定されるものではなく、任意の細かさで、分類しても良い。細かくすれば、距離の変化に応じて、なめらかに着信音の音量を変えることができる。
【００４０】
着信音生成部４６は、設定された鳴動レベルでスピーカ４８へ着信音を出力する。着信音は、複数のメロディや、ベル音をユーザが予め選択でき、又その音量をマニュアルであるいは、自動で設定できるようになっているものとする。
【００４１】
留守番電話切替部４７は、鳴動レベル設定処理部４５により、測定された電界強度が測定不可レベルの場合に起動され、着信呼を留守録処理する。尚、留守録処理は、公知であるため、ここでは、その詳細にふれない。
【００４２】
次に、携帯電話機付属端末Ｂは、呼がないときは、携帯電話機Ａからの着信通知信号の無線着信や、ユーザの発呼を監視している。応答処理部４３は、付属端末通知処理部４２からの着信通知信号を監視し、着信通知信号を検出すると、内部の呼処理を起動するとともに、携帯電話機Ａに応答信号を無線出力する。尚、内部の呼処理は、特に図示していないが、着信通知信号の受信により、携帯電話機付属端末Ｂをユーザのオフフック操作受信監視状態にする等を行うが、ここではその詳細には触れない。
【００４３】
次に、図１に示す第１の実施形態の具体的実現例について説明する。
【００４４】
図２は、本発明の第１の実施形態に関わる携帯電話機Ａと、携帯電話機付属端末Ｂの実現例の外観を示す斜視図である。
【００４５】
携帯電話機Ａは、よく知られているように、液晶部９、バイブレータ部１０、ＬＥＤ部１１、スピーカ部１２、無線モジュール部１４などを含んで構成される。また、携帯電話機付属端末Ｂは、ワイヤレスヘッドセットなどであり、よく知られているように、マイク、スピーカ部を始めとして、無線モジュール部１８、操作部３３などを含んで構成される。
【００４６】
図３は、実現例の携帯電話機Ａの、又、図４は実現例の携帯電話機付属端末Ｂの基本システム構成を示すブロック図である。
【００４７】
図３を参照すると、携帯電話機Ａは、基地局と無線通信を行うためのアンテナ１、アンテナ１で受信した電磁波を受信回路（以下、Ｒｘ３と称す）に取り込み、送信回路（以下、Ｔｘ４と称す）からの無線信号をアンテナ１から送信するデュプレクサ（Ｄｕｐｌｅｘｅｒ）２を備える。尚、ＲｘはＲｅｃｅｉｖｅｒの略称であり、ＴｘはＴｒａｎｓｍｉｔｔｅｒの略称である。さらに、携帯電話機Ａは、無線電話用に設定された所定チャネルの無線信号を抽出するＲｘ３、無線電話用に設定された無線データを所定チャネルの無線信号に変換するＴｘ４を備える。さらに、携帯電話機Ａは、Ｒｘ３からの無線データをデジタルデータに変換して音声処理部６に出力し、音声処理部６からのアナログデータをデジタル処理しＴｘ４に出力するデータ処理部５を備える。さらに、携帯電話機Ａは、データ処理部５からのデジタルデータをアナログ処理して送受話部７のスピーカに出力し、送受話部７のマイクからの入力をデジタルデータに変換する音声処理部６を備える。
【００４８】
さらに、携帯電話機Ａは、記憶装置のプログラムに基づいて、着信や、発信に関する種々の処理を行う中央処理ユニットであるＣＰＵ８、メニューデータや、種々のアプリケーションデータを表示する液晶表示部９、着信を振動で伝えるバイブレータ１０等を備える。さらに、携帯電話機Ａは、ＬＥＤ１１、着信があったときに着信音を鳴らすスピーカ１２、電話番号やデータなどの入力を行うための各種操作キーを含むキー１３を備える。
【００４９】
また、携帯電話機Ａは、携帯電話機付属端末Ｂと近距離無線通信を行うための無線モジュール１４、無線モジュール１４の受信レベルを測定する受信レベル測定部１５、近距離無線通信用のアンテナであるアンテナ１６を備える。
【００５０】
次に、携帯電話機付属端末Ｂは、図４に示すように、近距離無線通信用のアンテナであるアンテナ１７、近距離無線通信を行うための無線モジュール１８を備える。さらに、携帯電話機付属端末Ｂは、無線モジュール１８からの無線データを処理して音声処理部２０に出力し、音声処理部２０からの音声処理データを無線モジュール１８へのデジタルデータに変換するデータ処理部１９を備える。さらに、携帯電話機付属端末Ｂは、送受話部２１のマイクからの入力音声をアナログデータに変換し、データ処理部１９からのデータをアナログデータに変換し送受話部２１のスピーカに出力する音声処理部２０を備える。
【００５１】
尚、携帯電話機付属端末Ｂも、図４に示されていないが、公知の中央処理ユニットであるＣＰＵとプログラム記憶装置を有し、ＣＰＵがプログラム記憶装置のプログラムを実行することによってデータ処理部１９の機能を実現しているものとする。
【００５２】
ここで、図３に示す実現例の携帯電話機Ａにおいては、図１に示す第１の実施形態の携帯電話機Ａの着信検出部４１，付属端末通知処理部４２、電界強度測定処理部４４、鳴動レベル設定処理部４５、着信音生成部４６及び留守番電話切替部４７が、それぞれ、ＣＰＵ８によって処理される機能として実現されている。図１における電界強度測定処理部４４は、図３における受信レベル測定部１５を用いて携帯電話機付属端末Ｂからの応答信号の電界強度を測定する。また、図１におけるスピーカ４８は、図３におけるスピーカ１２に対応する。
【００５３】
また、図４に示す実現例の携帯電話機付属端末Ｂにおいて、図１に示す第１の実施形態の携帯電話機付属端末Ｂの応答処理部４３は、データ処理部１９による処理に対応する。
【００５４】
次に、図５は、本発明の第１の実施形態を示す動作フロー図である。
【００５５】
以下、図１〜図４を参照しつつ、図５の動作フローを説明する。
【００５６】
（Ｓ１）；携帯電話機Ａは、まず図３におけるＣＰＵ８により実現される着信検出部４１（図１）により、交換機からの着信信号を検出する。図３において、交換機（図示せず）からの着信信号は、アンテナ１、Ｄｕｐｌｅｘｅｒ２、Ｒｘ３、データ処理部５を介して、着信検出部４１によって検出される。
【００５７】
（Ｓ２）；次に、携帯電話機Ａは、図３におけるＣＰＵ８により実現される付属端末通知処理部４２により、図３の無線モジュール１４、アンテナ１６、図４のアンテナ１７、データ処理部１９のルートで携帯電話機付属端末Ｂに着信通知信号を送り、着信を通知し、携帯電話機付属端末Ｂからの応答信号を監視する。応答信号は、着信通知信号とは逆に、図４のデータ処理部１９、無線モジュール１８、アンテナ１７を介して携帯電話機Ａのアンテナ１６、無線モジュール１４に送信され、図３におけるＣＰＵ８により実現される付属端末通知処理部４２により検出される。
【００５８】
（Ｓ３）；次に、携帯電話機Ａは、図３におけるＣＰＵ８により実現される電界強度測定処理部４４により、受信レベル測定部１５（図３）を用いて、携帯電話機付属端末Ｂからの応答信号の電界強度を測定する。電界強度の測定は、予め定められた時間行い、電界強度の平均値を算出する。
【００５９】
（Ｓ４）；次に、携帯電話機Ａは、図３におけるＣＰＵ８により実現される鳴動レベル設定処理部４５により、測定された電界強度を判定する。図示していないが、例えば、電界強度を、強、中、弱の３段階に分類しておき、その各レベルのどれに属するかを判定する方法でも良い。
【００６０】
（Ｓ５）；鳴動レベル設定処理部４５は、電界強度が判定できれば、電界強度に応じて着信音の鳴動レベルを決定し、図３におけるＣＰＵ８により実現される着信音生成部４２にその鳴動レベルを設定する。例えば、電界強度を、強、中、弱の３段階に分類しておき、その各レベルに対する鳴動レベルを決めておけば、鳴動レベル設定処理部４５は、電界強度に基づき、着信音の鳴動レベルを容易に決定することができる。
【００６１】
（Ｓ６）；次に、携帯電話機Ａは、ＣＰＵ８による着信音生成部４６にて設定された鳴動レベルで着信音を生成し、スピーカ１２に出力する。
【００６２】
（Ｓ７）携帯電話機Ａは、図３におけるＣＰＵ８により実現される留守番電話切替部４７により、電界強度が判定できないほど小さい場合に、留守番電話に切り替え、留守電処理を行う。
【００６３】
一方、携帯電話機付属端末Ｂは、通話サービスを行っていないときは、発呼、着呼の待ち受け状態にある。
【００６４】
（Ｓ１０）；携帯電話機付属端末Ｂは、図４に示すデータ処理部１９の処理の一部である応答処理部４３により、携帯電話機Ａの無線モジュール１４からの着信通知信号を監視する。着信通知信号は、携帯電話機Ａの無線モジュール１４により無線出力され、携帯電話機付属端末Ｂの無線モジュール１８を経由して応答処理部４３により検出される。その後、応答処理部４３は、図示しない呼処理により、ユーザによる送受話部２１のオフフックを監視する。尚、着信通知信号の伝送ルートについては、Ｓ２で説明したとおりである。
【００６５】
（Ｓ１１）；携帯電話機付属端末Ｂは、データ処理部１９の処理の一部である応答処理部４３により着信通知信号を検出すると、無線モジュール１８を介して携帯電話機Ａに応答信号を返信する。応答信号の伝送ルートについても、Ｓ２で説明したとおりである。
【００６６】
以上のように、本発明の第１の実施形態によれば、専用の携帯情報端末を用意せずに、経済的に携帯端末の着信音の音量を変化させることができる効果がある。
【００６７】
その理由は、現在広く普及してきているワイヤレスヘッドセットなどの携帯電話機付属端末を用い、携帯電話機付属端末からの信号の電界強度に応じて携帯端末の着信音の音量を変化させるようにしたからである。
【００６８】
次に、図６は、本発明の第２の実施形態を示すブロック図である。
【００６９】
携帯電話機Ａは、探索処理部６０、電界強度測定処理部６１、一次記憶装置６２、着信検出部６４、鳴動レベル設定処理部６５、留守番電話切替部６６、着信音生成部６７、スピーカ６８を含む。
【００７０】
また、携帯電話機付属端末Ｂは、探索応答処理部６３を含む。
【００７１】
上述の各ブロックは、図３，図４に示すようにＣＰＵによる記憶装置のプログラムを実行することによって実現されても良いし、個別のハードウエアにより実現されても良い。
【００７２】
ここでは、探索処理部６０、電界強度測定処理部６１、一次記憶装置６２、着信検出部６４、鳴動レベル設定処理部６５、留守番電話切替部６６及び着信音生成部６７は、それぞれ図３のＣＰＵ８によって処理される機能として実現されているものとする。電界強度測定処理部６１は、図３の受信レベル測定部１５を用いて、携帯電話機付属端末Ｂからの応答信号の電界強度を測定する。また、図６におけるスピーカ６８は、図３におけるスピーカ１２に対応する。
【００７３】
また、図４に示す実現例の携帯電話機付属端末Ｂにおいて、図６に示す携帯電話機付属端末Ｂの探索応答処理部６３は、データ処理部１９による処理に対応する。
【００７４】
次に各部の機能を図３，図４を併用して説明する。
【００７５】
図３におけるＣＰＵ８により実現される探索処理部６０は、携帯電話機付属端末Ｂが通信有効範囲内にあるかどうかを一定周期で確認する（例えば、特開２００４−１５３４３９，「００２３」〜「００３９」を参照されたい）。そのために、探索処理部６０は、一定周期で携帯電話機付属端末Ｂに呼出信号を無線送信し、携帯電話機付属端末Ｂからの応答信号を監視する。尚、呼出信号は、探索処理部６０により、図３の無線モジュール１４、アンテナ１６から出力され、図４の携帯電話機付属端末Ｂのアンテナ１７、無線モジュール１８、データ処理部１９によって検出される。又、応答信号は、探索応答処理部６３により、呼出信号とは逆のルートで携帯電話機Ａに無線送信され、探索処理部６０によって検出される。そして、探索処理部６０は、応答信号が予定のデータでない場合や、一定時間内に取得できなかった場合は、携帯電話機付属端末Ｂが無線通信有効範囲内にいないと判断し、警報を発する。
【００７６】
次に、ＣＰＵ８により実現される電界強度測定処理部６１は、ＣＰＵ８により実現される探索処理部６０が呼出信号を送出し始めてから、一定の時間、図３の受信レベル測定部１５を用いて、無線モジュール１４で受信される携帯電話機付属端末Ｂからの応答信号の電界強度を測定し、その平均値を算出する。そして、電界強度測定処理部６１は、測定された電界強度が、どのレベルであるかを判定する。判定方法には、例えば、図示していないが、電界強度を、強、中、弱の３段階に分類しておき、測定された電界強度が属する段階を選択する方法がある。測定された電界強度が、弱の段階にも属さないほど小さい場合は、電界強度測定処理部４５は、測定不可レベルと判断する。そして、電界強度測定処理部６１は、測定された電界強度を、図６の一次記憶装置６２（図３では図示略）の予め定められた場所に格納する。
【００７７】
一次記憶装置６２は、携帯電話機Ａに通常具備されたＲＡＭなどの記憶装置であり、電界強度測定処理部６１により測定された電界強度を保存する。
【００７８】
次に、ＣＰＵ８により実現される着信検出部６４は、携帯電話機Ａの交換機からの着信信号を検出する。検出方法については、第１の実施の形態の着信検出部４１と同様である。
【００７９】
次に、図３におけるＣＰＵ８により実現される鳴動レベル設定処理部６５は、電界強度測定処理部６１が判定した最新の電界強度を一次記憶装置６２から読みだし、着信音の鳴動レベルを決定し、着信音生成部６７にその鳴動レベルを設定する。図示していないが、例えば、電界強度を、強、中、弱の３段階に分類しておき、その各レベルに対する鳴動レベルを決めておけば、鳴動レベル設定処理部６５は、電界強度に基づき、着信音の鳴動レベルを容易に決定することができる。
【００８０】
図３におけるＣＰＵ８により実現される留守番電話切替部６６は、鳴動レベル設定処理部６６が一次記憶装置６２から読みだした電界強度が測定不可レベルとなっていた場合に起動され、着信呼を留守録処理する。尚、留守録処理は、公知であるため、ここでは、その詳細にふれない。
【００８１】
次に、図３におけるＣＰＵ８により実現される着信音生成部６７は、設定された鳴動レベルでスピーカ６８（図３のスピーカ１２）へ着信音を出力する。着信音は、複数のメロディや、ベル音をユーザが予め選択でき、又その音量をマニュアルであるいは、自動で設定できるようになっているものとする。
【００８２】
次に、携帯電話機付属端末Ｂは、呼がないときは、携帯電話機からの着信通知信号の着信や、ユーザの発呼を監視している。図４におけるデータ処理部１９の処理の一部である探索応答処理部６３は、探索処理部６０からの呼出信号を監視し、呼出信号が自機のものであれば応答信号を探索処理部６０に無線で返信する。尚、呼出信号と応答信号の伝送ルートは、携帯電話機Ａの探索処理部６０で説明されているため、そちらを参照されたい。
【００８３】
次に、図７は、本発明の第２の実施の形態を示す動作フロー図である。
【００８４】
図２〜図４、及び図６を参照しつつ、第２の実施の形態を示す動作フローを詳細に説明する。
【００８５】
携帯電話機Ａは、待ち受け時など呼を扱っていない場合、携帯電話機付属端末Ｂに対し周期的に探索処理を行っている。
【００８６】
（Ｓ７１）；携帯電話機Ａは、まず、ＣＰＵ８による探索処理部６０により、一定周期で携帯電話機付属端末Ｂに呼出信号を送信し、携帯電話機付属端末Ｂからの応答信号を監視する。
【００８７】
呼出信号、応答信号の信号経路については、図６の探索処理部６０、探索応答処理部６３で説明したため、省略する。
【００８８】
（Ｓ７２）；そして、携帯電話機Ａの探索処理部６０は、応答信号を検出時は、次の呼出信号送信周期まで待機する。尚、探索処理部６０は、応答信号が予定のデータでない場合や、一定時間内に取得できなかった場合は、携帯電話機付属端末Ｂが無線通信有効範囲内にいないと判断し、警報を発するようにしても良い。
【００８９】
（Ｓ７３）；次に、携帯電話機Ａは、ＣＰＵ８による電界強度測定処理部６１により、探索処理部６０が呼出信号を送出し始めてから、一定の時間、図３の受信レベル測定部１５を用いて、携帯電話機付属端末Ｂからの応答信号の電界強度を測定し、その平均値を算出する。
【００９０】
（Ｓ７４）；そして、携帯電話機Ａは、ＣＰＵ８による電界強度測定処理部６１により、測定された電界強度が、どのレベルであるかを判定する。判定方法には、例えば、図示していないが、電界強度を、強、中、弱の３段階に分類しておき、測定された電界強度が属する段階を選択する方法がある。測定された電界強度が、弱の段階にも属さないほど小さい場合は、電界強度測定処理部６１は、測定不可レベルと判断する。
【００９１】
（Ｓ７５）；そして、携帯電話機Ａは、測定された電界強度を、携帯電話機Ａの一次記憶装置６２の予め定められた場所に格納する。
【００９２】
（Ｓ７６）；次に、携帯電話機Ａは、交換機からの着信があると、ＣＰＵ８による着信検出部６４により、着信信号を検出する。着信信号の検出方法については、第１の実施の形態のＳ１と同じであるため、説明を省略する。
【００９３】
（Ｓ７７）；次に、携帯電話機Ａは、ＣＰＵ８による鳴動レベル設定処理部６５により、電界強度測定処理部６１が判定した最新の電界強度を一次記憶装置６２から読みだす。
【００９４】
（Ｓ７８）；そして、鳴動レベル設定処理部６５は、着信音の鳴動レベルを決定し、着信音生成部６７にその鳴動レベルを設定する。図示していないが、例えば、電界強度を、強、中、弱の３段階に分類しておき、その各レベルに対する鳴動レベルを決めておけば、鳴動レベル設定処理部６５は、電界強度に基づき、着信音の鳴動レベルを容易に決定することができる。
【００９５】
（Ｓ７９）；次に、携帯電話機Ａは、ＣＰＵ８による着信音生成部６７により、設定された鳴動レベルで着信音を生成し、スピーカ６８（図３のスピーカ１２）に出力する。
【００９６】
（Ｓ８０）；次に、携帯電話機Ａは、鳴動レベル設定処理部６５が一次記憶装置６２から読みだした電界強度が測定不可レベルとなっていた場合に、ＣＰＵ８による留守番電話切替部６６により、着信呼を留守録処理する。尚、留守録処理は、公知であるため、ここでは、その詳細にふれない。
【００９７】
次に、携帯電話機付属端末Ｂは、呼がないときは、携帯電話機Ａからの着信通知信号の着信や、ユーザの発呼を監視している。
【００９８】
（Ｓ８１）；携帯電話機付属端末Ｂは、まず、図４のデータ処理部１９の処理の一部である探索応答処理部６３により、探索処理部６０からの呼出信号を監視し、呼出信号が来れば受信する。
【００９９】
（Ｓ８２）；携帯電話機付属端末Ｂの探索応答処理部６３は、呼出信号が自機のものであれば応答信号を探索処理部６０に無線で返信する。
【０１００】
尚、呼出信号、応答信号の信号経路については、図６の探索処理部６０、探索応答処理部６３で説明したため、そちらを参照されたい。
【０１０１】
以上の本発明の第２の実施形態によれば、専用の携帯情報端末を用意せずに、経済的に携帯電話機の着信音の音量を変化させることができる効果がある。
【０１０２】
その理由は、現在広く普及してきているワイヤレスヘッドセットなどの携帯電話機付属端末を用い、その電界強度に応じて携帯電話機の着信音の音量を変化させるようにしたからである。
【０１０３】
また、着信音量のレベルを任意に細かく設定できる効果もある。
【０１０４】
その理由は、携帯電話機からの電界強度に基づいて着信音量のレベルを決定するようにしたため、電界強度の判定レベルを細かくすれば、それに応じて着信音量のレベルも細かくできるからである。
【図面の簡単な説明】
【０１０５】
【図１】本発明の第１の実施形態を示すブロック図である。
【図２】本発明の実施形態に関わる携帯電話機と携帯電話機付属端末の実現例の外観を示す斜視図である。
【図３】実現例の携帯電話機の基本システム構成を示すブロック図である。
【図４】実現例の携帯電話機付属端末の基本システム構成を示すブロック図である。
【図５】本発明の第１の実施形態を示す動作フロー図である。
【図６】本発明の第２の実施形態を示すブロック図である。
【図７】本発明の第２の実施形態を示す動作フロー図である。
【符号の説明】
【０１０６】
Ａ    携帯電話機
Ｂ    携帯電話機付属端末
１    アンテナ
２    Ｄｕｐｌｅｘｅｒ
３    Ｒｘ
４    Ｔｘ
５    データ処理部
６    音声処理部
７    送受話部
８    ＣＰＵ
９    液晶表示部
１０    バイブレータ部
１１    ＬＥＤ部
１２    スピーカ部
１３    キー
１４    無線モジュール部
１５    受信レベル測定部
１６    アンテナ
１７    アンテナ
１８    無線モジュール
１９    データ処理部
２０    音声処理部
２１    送受話部
３３    操作部
４１    着信検出部
４２    付属端末通知処理部
４３    応答処理部
４４    電界強度測定処理部
４５    鳴動レベル設定処理部
４６    着信音生成部
４７    留守番電話切替部
４８    スピーカ
６０    探索処理部
６１    電界強度測定処理部
６２    一次記憶装置
６３    探索応答処理部
６４    着信検出部
６５    鳴動レベル設定処理部
６６    留守番電話切替部
６７    着信音生成部
６８    スピーカ
【図１】
2008236337.tif 000003
【図２】
2008236337.tif 000004
【図３】
2008236337.tif 000005
【図４】
2008236337.tif 000006
【図５】
2008236337.tif 000007
【図６】
2008236337.tif 000008
【図７】
2008236337.tif 000009